(57)【要約】  本発明は、上り電力の制御方法、端末デバイス、ネットワークデバイス及びコンピュータ記憶媒体を開示し、方法は、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定することと、前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定することとを含む。
2021523582.tif 000002
【特許請求の範囲】
【請求項１】
端末デバイスに応用される上り電力の制御方法であって、
上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定することと、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定することとを含む
ことを特徴とする上り電力の制御方法。
【請求項２】
前記方法は、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを含む
ことを特徴とする請求項１に記載の上り電力の制御方法。
【請求項３】
前記現在の上り信号の伝送タイプに基づいて前記上り信号に関連する閉ループ電力制御プロセスの数を確定することは、
前記上り信号が許可フリータイプであること又はスケジューリングタイプに基づいて、前記上り信号に関連する閉ループ電力制御プロセスの数を確定すること、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定することを含む
ことを特徴とする請求項２に記載の上り電力の制御方法。
【請求項４】
前記上り信号を送信するＢＷＰの数及び各上り信号のＢＷＰ上の閉ループ電力制御プロセスの数に基づいて、前記上り信号に関連する閉ループ電力制御プロセスの数を確定することは、
前記上り信号を送信する全てのＢＷＰに含まれる閉ループ電力制御プロセスの総量を、前記上り信号に関連する閉ループ電力制御プロセスの数とすることを含む
ことを特徴とする請求項２に記載の上り電力の制御方法。
【請求項５】
前記上り信号がＰＵＳＣＨである場合、上位レイヤシグナリングにより構成された第１の対応関係に基づいて、前記上り信号に関連する閉ループ電力制御プロセスの数を確定することは、
前記第１の対応関係に含まれる異なる閉ループ電力制御プロセスの数を、前記上り信号に関連する閉ループ電力制御プロセスの数として確定すること、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定すること、
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定することのうちの少なくとも１つを含む
ことを特徴とする請求項２に記載の上り電力の制御方法。
【請求項６】
前記上り信号がＰＵＣＣＨである場合、上位レイヤシグナリングにより構成された第２の対応関係に基づいて、前記上り信号に関連する閉ループ電力制御プロセスの数を確定することは、
前記第２の対応関係に含まれる異なる閉ループ電力制御プロセスの数を、前記上り信号に関連する閉ループ電力制御プロセスの数として確定すること、
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定すること、
前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定することのうちの少なくとも１つを含む
ことを特徴とする請求項２に記載の上り電力の制御方法。
【請求項７】
前記上り信号がＳＲＳである場合、上位レイヤシグナリングに構成された第３の対応関係に基づいて、前記上り信号に関連する閉ループ電力制御プロセスの数を確定することは、
前記第３の対応関係に含まれる異なる閉ループ電力制御プロセスの数を、前記上り信号に関連する閉ループ電力制御プロセスの数として確定すること、
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定すること、
前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定することのうちの少なくとも１つを含む
ことを特徴とする請求項２に記載の上り電力の制御方法。
【請求項８】
前記上り信号を送信するＢＷＰの数は、
同時に前記上り信号を送信するＢＷＰの数であり、
又は、現在にアクティブされた上りＢＷＰの数であり、
又は、ネットワーク側が前記端末デバイスのために構成した上りＢＷＰの数である
ことを特徴とする請求項１〜７のいずれか１項に記載の上り電力の制御方法。
【請求項９】
上り信号を送信するＢＷＰの数又は前記上り信号に関連する閉ループ電力制御プロセスの数を確定する前に、前記方法は、さらに、
前記ＤＣＩにおけるＴＰＣコマンドフィールドのビット数を２として確定することを含む
ことを特徴とする請求項１に記載の上り電力の制御方法。
【請求項１０】
前記ＤＣＩには、前記端末デバイスの１つのＴＰＣコマンドフィールドが含まれる
ことを特徴とする請求項９に記載の上り電力の制御方法。
【請求項１１】
前記方法は、さらに、
前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定することを含む
ことを特徴とする請求項１〜８のいずれか１項に記載の上り電力の制御方法。
【請求項１２】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項１〜１１のいずれか１項に記載の上り電力の制御方法。
【請求項１３】
前記上り信号は、ＰＵＳＣＨ、ＰＵＣＣＨ、ＳＲＳのいずれかである
ことを特徴とする請求項１〜１２のいずれか１項に記載の上り電力の制御方法。
【請求項１４】
前記方法は、さらに、
ネットワーク側が指示するＴＰＣコマンド位置インデックス、及び前記ＴＰＣコマンドフィールドのビット数に基づいて、前記ＤＣＩから前記端末デバイスのＴＰＣコマンドフィールドを確定することを含む
ことを特徴とする請求項１〜１３のいずれか１項に記載の上り電力の制御方法。
【請求項１５】
前記方法は、さらに、
ネットワーク側がＲＲＣシグナリングを介して指示する前記ＴＰＣコマンド位置インデックスを受信することを含み、
前記ＴＰＣコマンド位置インデックスは、前記端末デバイスのＴＰＣコマンドフィールドの前記ＤＣＩ内の開始ビットを示す
ことを特徴とする請求項１４に記載の上り電力の制御方法。
【請求項１６】
前記ＴＰＣコマンド位置インデックスが少なくとも１つのＴＰＣコマンドの位置インデックスを含み、各ＴＰＣコマンドが１つのＢＷＰ又は１つのＢＷＰの１つの閉ループ電力制御プロセスに対応する
ことを特徴とする請求項１４に記載の上り電力の制御方法。
【請求項１７】
前記ＴＰＣコマンドフィールドは、前記ＤＣＩ内の連続するビットを占用する
ことを特徴とする請求項１〜１６のいずれか１項に記載の上り電力の制御方法。
【請求項１８】
前記方法は、さらに、
現在に前記上り信号を送信するＢＷＰの閉ループ電力調整係数、又は前記上り信号が現在使用する閉ループ電力制御プロセスの閉ループ電力調整係数に基づいて、前記上り信号の送信電力を確定することと、
確定された前記送信電力に基づいて前記上り信号を送信することとを含む
ことを特徴とする請求項１に記載の上り電力の制御方法。
【請求項１９】
ネットワークデバイスに応用される上り電力の制御方法であって、
上り信号を送信する帯域幅部分ＢＷＰの数、又は、上り信号に関連する閉ループ電力制御プロセスの数に基づいて、下り制御情報ＤＣＩにおける端末デバイスの送信電力制御ＴＰＣコマンドフィールドのビット数を確定することと、
前記ＤＣＩを介して前記端末デバイスに前記ＴＰＣコマンドフィールドを送信することとを含む
ことを特徴とする上り電力の制御方法。
【請求項２０】
前記方法は、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを含む
ことを特徴とする請求項１９に記載の上り電力の制御方法。
【請求項２１】
前記上り信号を送信するＢＷＰの数は、
同時に前記上り信号を送信するＢＷＰの数であり、
又は、現在にアクティブされた上りＢＷＰの数であり、
又は、前記端末デバイスのために構成される上りＢＷＰの数である。
ことを特徴とする請求項１９又は２０に記載の上り電力の制御方法。
【請求項２２】
上り信号を送信するＢＷＰの数又は前記上り信号に関連する閉ループ電力制御プロセスの数を確定する前に、前記方法は、さらに、
前記ＤＣＩにおけるＴＰＣコマンドフィールドのビット数を２として確定することを含む
ことを特徴とする請求項１９に記載の上り電力の制御方法。
【請求項２３】
前記方法は、さらに、
前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定することを含む
ことを特徴とする請求項１９〜２２のいずれか１項に記載の上り電力の制御方法。
【請求項２４】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項１９〜２３のいずれか１項に記載の上り電力の制御方法。
【請求項２５】
前記上り信号は、ＰＵＳＣＨ、ＰＵＣＣＨ、ＳＲＳのいずれかである
ことを特徴とする請求項１９〜２４のいずれか１項に記載の上り電力の制御方法。
【請求項２６】
前記方法は、さらに、
端末デバイスにＴＰＣコマンド位置インデックスを指示することにより、端末デバイスが前記ＴＰＣＴＰＣコマンド位置インデックス及び前記ＴＰＣコマンドフィールドのビット数に基づいて、前記ＤＣＩからＴＰＣコマンドフィールドを確定することを含む
ことを特徴とする請求項１９〜２５のいずれか１項に記載の上り電力の制御方法。
【請求項２７】
前記方法は、さらに、
現在に端末デバイスが前記上り信号を送信するＢＷＰの閉ループ電力調整係数、又は、端末デバイスが前記上り信号を送信する時に現在使用する閉ループ電力制御プロセスの閉ループ電力調整係数に基づいて、端末デバイス上り信号の送信電力を確定し、確定された前記送信電力に基づいて前記端末デバイスからの前記上り信号を受信することを含む
ことを特徴とする請求項１９に記載の上り電力の制御方法。
【請求項２８】
第１の処理ユニットを含む端末デバイスであって、
前記第１の処理ユニットは、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定し、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定する
ことを特徴とする端末デバイス。
【請求項２９】
前記第１の処理ユニットは、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを実行する
ことを特徴とする請求項２８に記載の端末デバイス。
【請求項３０】
前記第１の処理ユニットは、前記上り信号が許可フリータイプであること又はスケジューリングタイプに基づいて、前記上り信号に関連する閉ループ電力制御プロセスの数を確定し、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定する
ことを特徴とする請求項２９に記載の端末デバイス。
【請求項３１】
前記第１の処理ユニットは、前記上り信号を送信する全てのＢＷＰに含まれる閉ループ電力制御プロセスの総量を、前記上り信号に関連する閉ループ電力制御プロセスの数とする
ことを特徴とする請求項２９に記載の端末デバイス。
【請求項３２】
前記第１の処理ユニットは、
前記第１の対応関係に含まれる異なる閉ループ電力制御プロセスの数を、前記上り信号に関連する閉ループ電力制御プロセスの数として確定すること、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定すること、
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定することのうちの少なくとも１つを実行する
ことを特徴とする請求項２９に記載の端末デバイス。
【請求項３３】
前記第１の処理ユニットは、
前記第２の対応関係に含まれる異なる閉ループ電力制御プロセスの数を、前記上り信号に関連する閉ループ電力制御プロセスの数として確定すること、
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定すること、
前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定することのうちの少なくとも１つを実行する
ことを特徴とする請求項２９に記載の端末デバイス。
【請求項３４】
前記第１の処理ユニットは、
前記第３の対応関係に含まれる異なる閉ループ電力制御プロセスの数を、前記上り信号に関連する閉ループ電力制御プロセスの数として確定すること、
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定すること、
前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定することのうちの少なくとも１つを実行する
ことを特徴とする請求項２９に記載の端末デバイス。
【請求項３５】
前記上り信号を送信するＢＷＰの数は、
同時に前記上り信号を送信するＢＷＰの数であり、
又は、現在にアクティブされた上りＢＷＰの数であり、
又は、ネットワーク側が前記端末デバイスのために構成した上りＢＷＰの数である
ことを特徴とする請求項２８〜３４のいずれか１項に記載の端末デバイス。
【請求項３６】
前記第１の処理ユニットは、前記ＤＣＩにおけるＴＰＣコマンドフィールドのビット数を２として確定する
ことを特徴とする請求項２８に記載の端末デバイス。
【請求項３７】
前記ＤＣＩには、前記端末デバイスの１つのＴＰＣコマンドフィールドが含まれる
ことを特徴とする請求項３６に記載の端末デバイス。
【請求項３８】
前記第１の処理ユニットは、前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定する
ことを特徴とする請求項２８〜３７のいずれか１項に記載の端末デバイス。
【請求項３９】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項２８〜３８のいずれか１項に記載の端末デバイス。
【請求項４０】
前記上り信号は、ＰＵＳＣＨ、ＰＵＣＣＨ、ＳＲＳのいずれかである
ことを特徴とする請求項２８〜３９のいずれか１項に記載の端末デバイス。
【請求項４１】
前記第１の処理ユニットは、ネットワーク側により指示されるＴＰＣコマンド位置インデックス、及び前記ＴＰＣコマンドフィールドのビット数に基づいて、前記ＤＣＩから前記端末デバイスのＴＰＣコマンドフィールドを確定する
ことを特徴とする請求項２８〜３９のいずれか１項に記載の端末デバイス。
【請求項４２】
前記端末デバイスは、さらに、
ネットワーク側がＲＲＣシグナリングを介して指示する前記ＴＰＣコマンド位置インデックスを受信する第１の通信ユニットを含み、
前記ＴＰＣコマンド位置インデックスは、前記端末デバイスのＴＰＣコマンドフィールドの前記ＤＣＩ内の開始ビットを示す
ことを特徴とする請求項４１に記載の端末デバイス。
【請求項４３】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する
ことを特徴とする請求項４１に記載の端末デバイス。
【請求項４４】
前記ＴＰＣコマンドフィールドは、前記ＤＣＩ内の連続するビットを占用する
ことを特徴とする請求項２８〜４３のいずれか１項に記載の端末デバイス。
【請求項４５】
前記端末デバイスは、さらに、
確定された前記送信電力に基づいて前記上り信号を送信する第１の通信ユニットを含み、
前記第１の処理ユニットは、前記上り信号を現在送信するＢＷＰの閉ループ電力調整係数、又は、前記上り信号が現在使用する閉ループ電力制御プロセスの閉ループ電力調整係数に基づいて、前記上り信号の送信電力を確定する
ことを特徴とする請求項２８に記載の端末デバイス。
【請求項４６】
第２の処理ユニット及び第２の通信ユニットを含むネットワークデバイスであって、
前記第２の処理ユニットは、上り信号を送信する帯域幅部分ＢＷＰの数、又は、上り信号に関連する閉ループ電力制御プロセスの数に基づいて、下り制御情報ＤＣＩにおける端末デバイスの送信電力制御ＴＰＣコマンドフィールドのビット数を確定し、
前記第２の通信ユニットは、前記ＤＣＩを介して前記端末デバイスに前記ＴＰＣコマンドフィールドを送信する
ことを特徴とするネットワークデバイス。
【請求項４７】
前記第２の処理ユニットは、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを実行する
ことを特徴とする請求項４６に記載のネットワークデバイス。
【請求項４８】
前記上り信号を送信するＢＷＰの数は、
同時に前記上り信号を送信するＢＷＰの数であり、
又は、現在にアクティブされた上りＢＷＰの数であり、
又は、前記端末デバイスのために構成される上りＢＷＰの数である
ことを特徴とする請求項４６又は４７に記載のネットワークデバイス。
【請求項４９】
上り信号を送信するＢＷＰの数又は前記上り信号に関連する閉ループ電力制御プロセスの数を確定する前に、前記第２の処理ユニット、前記ＤＣＩにおけるＴＰＣコマンドフィールドのビット数を２として確定する
ことを特徴とする請求項４６に記載のネットワークデバイス。
【請求項５０】
前記第２の処理ユニットは、前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定する
ことを特徴とする請求項４６〜４９のいずれか１項に記載のネットワークデバイス。
【請求項５１】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項４６〜５０のいずれか１項に記載のネットワークデバイス。
【請求項５２】
前記上り信号は、ＰＵＳＣＨ、ＰＵＣＣＨ、ＳＲＳのいずれかである
ことを特徴とする請求項４６〜５１のいずれか１項に記載のネットワークデバイス。
【請求項５３】
前記第２の通信ユニット、端末デバイスにＴＰＣコマンド位置インデックスを指示することにより、端末デバイスが前記ＴＰＣＴＰＣコマンド位置インデックス及び前記ＴＰＣコマンドフィールドのビット数に基づいて、前記ＤＣＩからＴＰＣコマンドフィールドを確定する
ことを特徴とする請求項４６〜５２のいずれか１項に記載のネットワークデバイス。
【請求項５４】
前記第２の処理ユニットは、現在に端末デバイスが前記上り信号を送信するＢＷＰの閉ループ電力調整係数、又は端末デバイスが前記上り信号送信する時に現在使用する閉ループ電力制御プロセスの閉ループ電力調整係数に基づいて、端末デバイス上り信号の送信電力を確定し、
前記第２の通信ユニットは、確定された前記送信電力に基づいて前記端末デバイスからの前記上り信号を受信する
ことを特徴とする請求項４６に記載のネットワークデバイス。
【請求項５５】
プロセッサと、プロセッサ上で実行可能なコンピュータプログラムを保存するためのメモリとを含む端末デバイスであって、
前記プロセッサは、前記コンピュータプログラムを実行して、請求項１〜１８のいずれか１項に記載の方法を実行する
ことを特徴とする端末デバイス。
【請求項５６】
プロセッサと、プロセッサ上で実行可能なコンピュータプログラムを保存するためのメモリとを含むネットワークデバイスであって、
前記プロセッサは、前記コンピュータプログラムを実行して、請求項１９〜２７のいずれか１項に記載の方法を実行する
ことを特徴とするネットワークデバイス。
【請求項５７】
コンピュータ実行可能命令を記憶するコンピュータ記憶媒体であって、前記コンピュータ実行可能命令が実行される場合、請求項１〜２７のいずれかの方法を実現する
ことを特徴とするコンピュータ記憶媒体。
【発明の詳細な説明】
【技術分野】
【０００１】
本発明は、情報処理技術分野に関し、特に、上り電力の制御方法、端末デバイス、ネットワークデバイス及びコンピュータ記憶媒体に関する。
【背景技術】
【０００２】
現在のＰＵＳＣＨの送信電力は、以下の式によって計算され得る。
【数１】
2021523582.tif 000003
ここで、iは１回のＰＵＳＣＨ伝送を表すインデックス、jは開ループ電力制御パラメータのインデックス、
2021523582.tif 000004
は、開ループ電力制御パラメータであり、
2021523582.tif 000005
は、下りリファレンス信号に基づいて測定されたパスロス推定値であり、
2021523582.tif 000006
は、閉ループ電力調整係数であり、lは閉ループ電力制御プロセスのインデックスである。ここで、j，lの値および伝搬路損失推定値
2021523582.tif 000007
を測定するための下りリファレンス信号は、ＤＣＩに含まれるＳＲＩ  (  ＳＲＳ  Ｒｅｓｏｕｒｃｅ  Ｉｎｄｉｃａｔｏｒ、ＳＲＳリソース指示情報)情報に基づいて得ることができる。ネットワーク側は、異なるＳＲＩ状態と{  j，qd，l  }の対応関係を予め設定しておき、現在伝送に使用している{  j，qd，l  }をＳＲＩにより指示する。
【０００３】
ＰＵＣＣＨに関しては、ネットワーク側が異なるＰＵＣＣＨ空間相関情報(  ＰＵＣＣＨ−Ｓｐａｔｉａｌ  ｒｅｌａｔｉｏｎ  Ｉｎｆｏ  )と{  j，qd，l  }の対応関係を予め設定し、現在使用されているＰＵＣＣＨ空間相関情報によって現在ＰＵＣＣＨ伝送に使用されている{  j，qd，l  }を確定する。ここで、ネットワーク側は、ＲＲＣシグナリングによって全ての利用可能なＰＵＣＣＨ空間相関情報を指示し、さらに、ＭＡＣ  ＣＥによって現在使用されているＰＵＣＣＨ空間相関情報を指示する。
【０００４】
ＰＵＳＣＨ及びＰＵＣＣＨについて、ＴＰＣコマンドは、送信電力制御(  ＴＰＣ  )コマンドを搬送するために専用の下り制御情報(  ＤＣＩ  )によって取得され、閉ループ電力調整係数を決定する。ここで、前記ＤＣＩは、ＤＣＩフォーマット２-２を採用し、ＰＵＳＣＨ-ＴＰＣ-ＲＮＴＩ又はＰＵＣＣＨ-ＴＰＣ-ＲＮＴＩを用いてスクランブルされ、複数の端末のＴＰＣ命令を含んでもよい。ＮＲでは、ＰＵＳＣＨとＰＵＣＣＨは、複数のＢＷＰで同時に送信され、複数の閉ループ電力制御プロセスをサポートし、この時、端末が各ＢＷＰで各閉ループ電力制御プロセスのそれぞれのＴＰＣコマンドをどのように取得するかが解決すべき問題である。
【発明の概要】
【０００５】
以上の課題を解決するために、本発明の実施例は、上り電力の制御方法、端末デバイス、ネットワークデバイス及びコンピュータ記憶媒体を提供する。
【０００６】
本発明の実施例は、端末デバイスに応用される上り電力の制御方法を提供し、前記方法は、
上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定することと、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定することとを含む。
本発明の実施例は、ネットワークデバイスに応用される上り電力の制御方法を提供し、前記方法は、
上り信号を送信する帯域幅部分ＢＷＰの数、又は、上り信号に関連する閉ループ電力制御プロセスの数に基づいて、下り制御情報ＤＣＩ内の端末デバイスの送信電力制御ＴＰＣコマンドフィールドのビット数を確定することと、
前記ＤＣＩを介して前記端末デバイスに前記ＴＰＣコマンドフィールドを送信することとを含む。
【０００７】
本発明の実施例は、端末デバイスを提供し、前記端末デバイスは第１の処理ユニットを含み、
第１の処理ユニットは、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定し、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定する。
【０００８】
本発明の実施例は、ネットワークデバイスを提供し、第２の処理ユニット及び第２の通信ユニットを含み、
第２の処理ユニットは、上り信号を送信する帯域幅部分ＢＷＰの数、又は、上り信号に関連する閉ループ電力制御プロセスの数に基づいて、下り制御情報ＤＣＩ内の端末デバイスの送信電力制御ＴＰＣコマンドフィールドのビット数を確定し、
第２の通信ユニットは、前記ＤＣＩを介して前記端末デバイスに前記ＴＰＣコマンドフィールドを送信する。
本発明の実施例は端末デバイスを含み、プロセッサとプロセッサに実行するコンピュータプログラムを記憶するメモリとを備え、
ここで、前記プロセッサが、前記コンピュータプログラムを実行する場合、上記の方法を実行する。
【０００９】
本発明の実施例は、ネットワークデバイスを提供し、プロセッサとプロセッサに実行するコンピュータプログラムを記憶するメモリとを備え、
ここで、前記プロセッサが、前記コンピュータプログラムを実行する場合、上記の方法を実行する。
【００１０】
本発明の実施例は、実行されると、前述の方法ステップを実施するコンピュータ実行可能命令を記憶したコンピュータ記憶媒体を提供する。
【００１１】
本発明の実施例に係る技術案は、上り信号ＢＷＰの数又は閉ループ電力制御プロセスの数に応じて、対応するＴＰＣコマンドを決定し、ＴＰＣコマンドに応じて上り信号対応の電力調整係数を決定することができ、これにより、１つの端末に対するＴＰＣコマンドのＤＣＩオーバーヘッドを可能な限り低減し、不要なＤＣＩオーバーヘッドを節約し、１つのＤＣＩでより多くの端末及びより多くのＢＷＰの閉ループ電力制御を行うことができる。
【図面の簡単な説明】
【００１２】
【図１】本発明の実施例における上り電力の制御方法のフローチャート１である。
【図２】本発明の実施例における上り電力の制御方法フローチャート２である。
【図３】本発明の実施例端末デバイスの構成図である。
【図４】本発明の実施例ネットワークデバイスの構成図である。
【図５】本発明の実施例ハードウェアアーキテクチャの概略図である。
【発明を実施するための形態】
【００１３】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１４】
実施例一、
本発明の実施例は、端末デバイスに応用される上り電力の制御方法を提供し、図１に示すように、ステップ１０１〜１０２を含む。
【００１５】
ステップ１０１において、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定する。
【００１６】
ステップ１０２において、前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定する。
【００１７】
なお、この実施例における端末デバイスとは、例えば携帯電話機等の通信システムにおける通信機能を備えた端末デバイスであっても良い。
上記のステップ１０１において、上り信号に関連する閉ループ電力制御プロセスの数を確定する方法は、以下の少なくとも１つを含み、
前記上り信号の現在の伝送タイプに基づいて前記上り信号に関連する閉ループ電力制御プロセスの数を確定し、つまり、現在上り信号の伝送タイプに基づいて確定する。
【００１８】
上位レイヤシグナリング構成に基づいて前記上り信号に関連する閉ループ電力制御プロセスの数を確定し、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定し、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であり、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であり、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係である。
【００１９】
さらに、前記現在の上り信号の伝送タイプに基づいて前記上り信号に関連する閉ループ電力制御プロセスの数を確定することは、
前記上り信号が許可フリータイプであること又はスケジューリングタイプに基づいて、前記上り信号に関連する閉ループ電力制御プロセスの数を確定し、例えば、ｇｒａｎｔ−ｆｒｅｅ（端末が自主に送信する）による上り信号であるか、スケジューリングによる上り信号であるかによって、対応する数が決定される。例えば、ｇｒａｎｔ−ｆｒｅｅに基づく上り信号関連する閉ループ電力制御プロセスの数は１であり、スケジューリングに基づく関連する閉ループ電力制御プロセスの数は、２またはネットワーク側で構成された値であり、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定することを含み、ここで、少なくとも１つのは、１つ上である。
【００２０】
上記は、上位レイヤシグナリング構成により前記上り信号に関連する閉ループ電力制御プロセスの数を特定し、ＰＵＳＣＨとＰＵＣＣＨが独立に配置される数であってもよい。端末が複数のＢＷＰを備える場合、ネットワーク側は、各ＢＷＰに対してそれぞれ閉ループ電力制御プロセスの数を構成することができる。
【００２１】
前記上り信号を送信するＢＷＰの数及び各上り信号のＢＷＰ上の閉ループ電力制御プロセスの数に基づいて、前記上り信号に関連する閉ループ電力制御プロセスの数を確定することは、前記上り信号を送信する全てのＢＷＰに含まれる閉ループ電力制御プロセスの総量を、前記上り信号に関連する閉ループ電力制御プロセスの数とすることを含む。
【００２２】
即ち、前記上り信号を送信するＢＷＰの数及び各ＢＷＰ上の閉ループ電力制御プロセスの数に基づいて確定する。
【００２３】
具体的には、前記上り信号を送信するＢＷＰの数は、前記上り信号を同時に送信するＢＷＰの数、現在アクティブさらた上りＢＷＰの数、ネットワーク側が端末のために構成した上りＢＷＰの数のいずれかであってもよい。
【００２４】
なお、後の二者の場合、これらのＢＷＰは、必ずしも同時に前記上り信号の送信に使用できるわけではなく、同一時刻におけるＢＷＰの１つ又は一部のみが前記上り信号の送信に使用できるようにしてもよい。端末は、異なる時間に異なるＢＷＰを用いて前記上り信号を送信してもよい。
【００２５】
前記上り信号がＰＵＳＣＨである場合、上位レイヤシグナリング構成の第１の対応関係によって、前記上り信号が関連する閉ループ電力制御プロセスの数を決定することは、以下の３つの場合のうち少なくとも１つを含む。
【００２６】
場合１：
前記第１の対応関係に含まれる異なる閉ループ電力制御プロセスの数を、前記上り信号に関連する閉ループ電力制御プロセスの数として確定するし、
例えば、第１の対応関係は、全てのＳＲＩ状態が同じ１つの閉ループ電力制御プロセスに対応することを示し、閉ループ電力制御プロセスの数は１であり、この対応関係が、一部のＳＲＩ状態が閉ループ電力制御プロセス０に対応し、他のＳＲＩ状態が閉ループ電力制御プロセス１に対応することを示す場合、閉ループ電力制御プロセスの数は２である。
【００２７】
場合２：
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、即ち、端末にＳＲＩ又は前記ＳＲＩ状態と閉ループ電力制御プロセスとの対応関係が構成されない場合、閉ループ電力制御プロセスの数が１である。
【００２８】
場合３：
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定する。
【００２９】
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定し、即ち、端末に複数のＢＷＰが構成された場合、各ＢＷＰに構成された対応関係に基づいて数を確定する。
【００３０】
なお、第１の対応関係については、ＳＲＩ状態と閉ループ電力制御プロセスとの対応関係と理解することができ、ここで、ＳＲＩはＳＲＳリソース指示情報(  ＳＲＳ  Ｒｅｓｏｕｒｃｅ  Ｉｎｄｉｃａｔｏｒ  )であり、その取得方式はＰＵＳＣＨのＤＣＩをスケジューリングすることによりＳＲＩを搬送することができる。
【００３１】
前記上り信号がＰＵＣＣＨである場合、上位レイヤシグナリングに構成された第２対応関係によって、前記上り信号が関連する閉ループ電力制御プロセスの数を決定し、すなわち、前記上り信号がＰＵＣＣＨである場合、上位レイヤシグナリングに構成されたＰＵＣＣＨ空間相関情報(  ＰＵＣＣＨ−Ｓｐａｔｉａｌ  Ｒｅｌａｔｉｏｎ  Ｉｎｆｏ  )と閉ループ電力制御プロセスとの対応関係によって決定されてもよい。具体的には、以下の３つの場合のうちの少なくとも１つを含む。
【００３２】
場合１：
端末は、前記第２の対応関係に含まれる異なる閉ループ電力制御プロセスの数を、前記上り信号に関連する閉ループ電力制御プロセスの数として確定し、
例えば、前記対応関係は、全てのＰＵＣＣＨ空間相関情報が同じ１つの閉ループ電力制御プロセスに対応することを示し、閉ループ電力制御プロセスの数は１であり、前記第２の対応関係が、部分的なＰＵＣＣＨ空間相関情報が閉ループ電力制御プロセス０に対応し、他のＰＵＣＣＨ空間相関情報が閉ループ電力制御プロセス１に対応することを示す場合、閉ループ電力制御プロセスの数は２である。
【００３３】
場合２：
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定し、
端末にＰＵＣＣＨ空間関連情報又はＰＵＣＣＨ空間関連情報と閉ループ電力制御プロセスとの第２の対応関係が構成されない場合、閉ループ電力制御プロセスの数が１である。
【００３４】
場合３：
前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定する。つまり、端末に複数のＢＷＰが構成された場合、各ＢＷＰに構成された第２の対応関係に基づいて数を確定することができる。
【００３５】
前記上り信号がＳＲＳである場合、上位レイヤシグナリングにより構成された第３の対応関係に基づいて、前記上り信号に関連する閉ループ電力制御プロセスの数を確定し、即ち、前記上り信号がＳＲＳである場合、上位レイヤシグナリングに構成されたＳＲＳ空間関連情報（ＳＲＳ−Ｓｐａｔｉａｌ  Ｒｅｌａｔｉｏｎ  Ｉｎｆｏ）と閉ループ電力制御プロセスとの対応関係に基づいて数を確定する。具体的に、以下の３つの場合のうちの少なくとも１つを含む。
【００３６】
場合一：
端末が前記第３の対応関係に含まれる異なる閉ループ電力制御プロセスの数を、前記上り信号に関連する閉ループ電力制御プロセスの数として確定する。
【００３７】
例えば、前記第３の対応関係は、全てのＳＲＳ空間関連情報が同じ閉ループ電力制御プロセスに対応することを指示する場合、閉ループ電力制御プロセスの数が１であり、前記第３の対応関係は、一部のＳＲＳ空間関連情報が閉ループ電力制御プロセス０に対応し、他のＳＲＳ空間関連情報が閉ループ電力制御プロセス１に対応することを指示する場合、閉ループ電力制御プロセスの数が２である。
【００３８】
場合二：
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定し、
端末にＳＲＳ空間関連情報又はＳＲＳ空間関連情報と閉ループ電力制御プロセスとの第３の対応関係が構成されない場合、閉ループ電力制御プロセスの数が１である。
【００３９】
場合三：
前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定し、つまり、端末に複数のＢＷＰが構成された場合、各ＢＷＰに構成された対応関係に基づいて数を確定する。
【００４０】
前記上り信号を送信するＢＷＰの数は、前記上り信号を同時に送信するＢＷＰの数、又は現在アクティブされる上りＢＷＰの数、又はネットワーク側が端末に配置する上りＢＷＰの数であり、後の二者の場合、これらのＢＷＰは、必ずしも同時に前記上り信号の送信に使用できるわけではなく、同一時刻に１つ又は一部のＢＷＰのみが前記上り信号の送信に使用できるようになっていてもよい。端末は、異なる時間に異なるＢＷＰを用いて前記上り信号を送信してもよい。
【００４１】
上り信号を送信するＢＷＰの数又は前記上り信号に関連する閉ループ電力制御プロセスの数を確定する前に、前記方法は、さらに、前記ＤＣＩにおけるＴＰＣコマンドフィールドのビット数を２として確定することを含む。具体的には、該ＤＣＩには、該端末の１つのＴＰＣコマンドフィールドが含まれる。例えば、端末がネットワーク側に配置されたＢＷＰの数、又は前記上り信号関連の閉ループ電力制御プロセスの数を受信する前に、端末は、前記ＤＣＩにおけるＴＰＣコマンドフィールドのビット数を２とする。
【００４２】
この方法は、前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定することを含む。
【００４３】
前記ＤＣＩは、ＰＵＳＣＨのＴＰＣコマンドが含まれるＤＣＩ、ＰＵＣＣＨのＴＰＣコマンドが含まれるＤＣＩ、ＳＲＳのＴＰＣコマンドが含まれるＤＣＩのうちの少なくとも１つである。
【００４４】
なお、前記ＤＣＩのフォーマットは、ＤＣＩ  ｆｏｒｍａｔ２-２又はＤＣＩ  ｆｏｒｍａｔ２-３であってもよく、また、前記ＤＣＩは、ＰＵＳＣＨ-ＴＰＣ-ＲＮＴＩ又はＰＵＣＣＨ-ＴＰＣ-ＲＮＴＩ又はＳＲＳ-ＴＰＣ-ＲＮＴＩでスクランブルされる。ＤＣＩは、１つのＢＷＰ上のＴＰＣコマンドを指示するために使用されてもよく、異なるＢＷＰ上のＴＰＣコマンドを指示するために使用されてもよい。
【００４５】
前記上り信号は、ＰＵＳＣＨ、ＰＵＣＣＨ、ＳＲＳのいずれかである。
【００４６】
具体的には、前記上り信号がＰＵＳＣＨ又はＰＵＣＣＨである場合、前記ＤＣＩフォーマットはＤＣＩ  ｆｏｒｍａｔ２-２であり、ＰＵＳＣＨ-ＴＰＣ-ＲＮＴＩ又はＰＵＣＣＨ-ＴＰＣ-ＲＮＴＩによってスクランブルされ、前記上り信号がＳＲＳである場合、前記ＤＣＩフォーマットはＤＣＩ  ｆｏｒｍａｔ２-３であり、ＳＲＳ-ＴＰＣ-ＲＮＴＩによってスクランブルされる。
【００４７】
以上のように、実施例は、ＴＰＣコマンドフィールドの確定の処理方法を提供し、例えば、ネットワーク側が指示するＴＰＣコマンド位置インデックス、及び前記ＴＰＣコマンドフィールドのビット数に基づいて、前記ＤＣＩから前記端末デバイスのＴＰＣコマンドフィールドを確定することを含む。
【００４８】
どのようにＴＰＣコマンド位置インデックスを取得することは、ネットワーク側がＲＲＣシグナリングを介して指示する前記ＴＰＣコマンド位置インデックスを受信することを含み、ここで、前記ＴＰＣコマンド位置インデックスは、前記端末デバイスのＴＰＣコマンドフィールドの前記ＤＣＩ内の開始ビットを示す。
具体的には、位置インデックスは、１ビット単位であり得、すなわち、ＴＰＣコマンドフィールドの開始ビットは、ＤＣＩ中の任意の位置にあり、あるいは、位置インデックスは２ビット単位であってもよく、すなわち、ＴＰＣコマンドフィールドの開始ビットはＤＣＩビットのうちの任意の偶数ビットであってもよい(例えば、ビットインデックスは０、２、４、…)。
【００４９】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する。ＴＰＣコマンドフィールドが、１つのＢＷＰ又は１つのＢＷＰにおける１つの閉ループ電力制御プロセスに対応する複数のＴＰＣコマンドの位置インデックスを含む場合、ネットワーク側は、複数のＴＰＣコマンドに対して独立した位置インデックスを設定することができる。すなわち、ネットワーク側は、ＢＷＰ毎又は閉ループ電力制御プロセス毎に独立してＴＰＣコマンド位置インデックスを設定することができる。例えば、ｋ番目の位置インデックスは、ｋ番目のＢＷＰ又はｋ番目の閉ループ電力制御プロセスのＴＰＣコマンドに対応する。
【００５０】
典型的には、ＴＰＣコマンドフィールドは、ＤＣＩ中の連続ビットを占有する。例えば、前記ＴＰＣコマンドフィールドが２つのＴＰＣコマンドを含む場合、これら２つのＴＰＣコマンドは、前記ＤＣＩにおいて２つの連続したＴＰＣコマンドである。
【００５１】
前記ＴＰＣコマンド位置インデックスがｋ番目のビットを示し、前記ＴＰＣコマンドフィールドのビット数がＭであるならば、前記端末のＴＰＣコマンドフィールドが占有するビットは、ＤＣＩにおける{  ｋ、ｋ＋1、…、ｋ＋Ｍ−1  }番目のビットである。
【００５２】
上記ステップ１０２において、前記ＴＰＣコマンドフィールドが２  *  ｎビットであれば、そのうちｎ個の２ビットのＴＰＣコマンドが含まれ、ｎ番目のＴＰＣコマンドはｎ番目のＢＷＰ又はｎ番目の閉ループ電力制御プロセスに使用され、前記ＴＰＣコマンドフィールドが２＋log２  (  Ｎ  )ビットである場合、最初の２ビットはＴＰＣコマンドであり、後のlog２  (  Ｎ  )ビットは前記ＴＰＣコマンドに対応するＢＷＰ又は閉ループ電力制御プロセスを示し、又は後の２ビットはＴＰＣコマンドであり、最初のlog２  (  Ｎ  )ビットは前記ＴＰＣコマンドに対応するＢＷＰ又は閉ループ電力制御プロセスを示す。
【００５３】
ステップ１０２に基づいて、この実施例は、以下のステップをさらに含むことができる。
【００５４】
前記上り信号を現在送信しているＢＷＰの閉ループ電力調整係数、又は、前記上り信号に現在使用されている閉ループ電力制御プロセスの閉ループ電力調整係数に基づいて、前記上り信号の送信電力を確定し、決定された前記送信電力に従って前記上り信号を送信するように構成されている。上り信号の送信電力をどのように決定するかについては、いずれの閉ループ電力調整係数に基づいて算出されてもよく、算出の仕方についてはここでは詳述しない。
【００５５】
このように、上記の方式を採用することにより、上り信号ＢＷＰの数又は閉ループ電力制御プロセスの数に応じて、対応するＴＰＣコマンドを決定し、ＴＰＣコマンドに応じて上り信号対応の電力調整係数を決定することができ、これにより、１つの端末に対するＴＰＣコマンドのＤＣＩオーバーヘッドをできるだけ低くし、不要なＤＣＩオーバーヘッドを節約し、１つのＤＣＩでより多くの端末及びより多くのＢＷＰの閉ループ電力制御を行うことができる。
【００５６】
実施例二、
本発明の実施例は上り電力の制御方法を提供し、ネットワークデバイスに応用され、図２に示すように、前記方法は、ステップ２０１〜２０２を含む。
【００５７】
ステップ２０１において、上り信号を送信する帯域幅部分ＢＷＰの数、又は、上り信号に関連する閉ループ電力制御プロセスの数に基づいて、下り制御情報ＤＣＩ内の端末デバイスの送信電力制御ＴＰＣコマンドフィールドのビット数を確定する。
【００５８】
ステップ２０２において、前記ＤＣＩを介して前記端末デバイスに前記ＴＰＣコマンドフィールドを送信する。
【００５９】
なお、この実施例における端末デバイスとは、例えば携帯電話機等の通信システムにおける通信機能を備えた端末デバイスであっても良い。
【００６０】
上り信号に関連する閉ループ電力制御プロセスの数を確定する方法は、以下の少なくとも１つを含み、
前記上り信号の現在の伝送タイプに基づいて前記上り信号に関連する閉ループ電力制御プロセスの数を確定し、つまり、現在上り信号の伝送タイプに基づいて確定する。
【００６１】
上位レイヤシグナリング構成に基づいて前記上り信号に関連する閉ループ電力制御プロセスの数を確定し、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定し、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であり、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であり、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係である。
【００６２】
さらに、前記現在の上り信号の伝送タイプに基づいて前記上り信号に関連する閉ループ電力制御プロセスの数を確定することは、
前記上り信号が許可フリータイプであること又はスケジューリングタイプに基づいて、前記上り信号に関連する閉ループ電力制御プロセスの数を確定し、例えば、ｇｒａｎｔ−ｆｒｅｅ（端末が自主に送信する）による上り信号であるか、スケジューリングによる上り信号であるかによって、対応する数が決定される。例えば、ｇｒａｎｔ−ｆｒｅｅに基づく上り信号関連する閉ループ電力制御プロセスの数は１であり、スケジューリングに基づく関連する閉ループ電力制御プロセスの数は、２またはネットワーク側で構成された値であり、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定することを含み、ここで、少なくとも１つのは、１つ上である。
【００６３】
上記は、上位レイヤシグナリング構成により前記上り信号に関連する閉ループ電力制御プロセスの数を特定し、ＰＵＳＣＨとＰＵＣＣＨが独立に配置される数であってもよい。端末が複数のＢＷＰを備える場合、ネットワーク側は、各ＢＷＰに対してそれぞれ閉ループ電力制御プロセスの数を構成することができる。
【００６４】
前記上り信号を送信するＢＷＰの数及び各上り信号のＢＷＰ上の閉ループ電力制御プロセスの数に基づいて、前記上り信号に関連する閉ループ電力制御プロセスの数を確定することは、前記上り信号を送信する全てのＢＷＰに含まれる閉ループ電力制御プロセスの総量を、前記上り信号に関連する閉ループ電力制御プロセスの数とすることを含む。
【００６５】
即ち、前記上り信号を送信するＢＷＰの数及び各ＢＷＰ上の閉ループ電力制御プロセスの数に基づいて確定する。
【００６６】
具体的には、前記上り信号を送信するＢＷＰの数は、前記上り信号を同時に送信するＢＷＰの数、現在アクティブである上りＢＷＰの数、ネットワーク側が端末のために構成した上りＢＷＰの数のいずれかであってもよい。
【００６７】
なお、後の二者の場合、これらのＢＷＰは、必ずしも同時に前記上り信号の送信に使用できるわけではなく、同一時刻におけるＢＷＰの１つ又は一部のみが前記上り信号の送信に使用できるようにしてもよい。端末は、異なる時間に異なるＢＷＰを用いて前記上り信号を送信してもよい。
【００６８】
前記上り信号がＰＵＳＣＨである場合、上位レイヤシグナリング構成の第１の対応関係によって、前記上り信号が関連する閉ループ電力制御プロセスの数を決定することは、以下の３つの場合のうち少なくとも１つを含む。
【００６９】
場合１：
前記第１の対応関係に含まれる異なる閉ループ電力制御プロセスの数を、前記上り信号に関連する閉ループ電力制御プロセスの数として確定し、
例えば、第１の対応関係は、全てのＳＲＩ状態が同じ１つの閉ループ電力制御プロセスに対応することを示し、閉ループ電力制御プロセスの数は１であり、この対応関係が、一部のＳＲＩ状態が閉ループ電力制御プロセス０に対応し、他のＳＲＩ状態が閉ループ電力制御プロセス１に対応することを示す場合、閉ループ電力制御プロセスの数は２である。
【００７０】
場合２：
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定するし、即ち、端末にＳＲＩ又は前記ＳＲＩ状態と閉ループ電力制御プロセスとの対応関係が構成されない場合、閉ループ電力制御プロセスの数が１である。
【００７１】
場合３：
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定する。
【００７２】
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定し、即ち、端末に複数のＢＷＰが構成された場合、各ＢＷＰに構成された対応関係に基づいて数を確定する。
【００７３】
なお、第１の対応関係については、ＳＲＩ状態と閉ループ電力制御プロセスとの対応関係と理解することができ、ここで、ＳＲＩはＳＲＳリソース指示情報(  ＳＲＳ  Ｒｅｓｏｕｒｃｅ  Ｉｎｄｉｃａｔｏｒ  )であり、その取得方式はＰＵＳＣＨのＤＣＩをスケジューリングすることによりＳＲＩを搬送することができる。
【００７４】
前記上り信号がＰＵＣＣＨである場合、上位レイヤシグナリングに構成された第２対応関係によって、前記上り信号が関連する閉ループ電力制御プロセスの数を決定し、すなわち、前記上り信号がＰＵＣＣＨである場合、上位レイヤシグナリングに構成されたＰＵＣＣＨ空間相関情報(  ＰＵＣＣＨ−Ｓｐａｔｉａｌ  Ｒｅｌａｔｉｏｎ  Ｉｎｆｏ  )と閉ループ電力制御プロセスとの対応関係によって決定されてもよい。具体的には、以下の３つの場合のうちの少なくとも１つを含む。
【００７５】
場合１：
端末は、前記第２の対応関係に含まれる異なる閉ループ電力制御プロセスの数を、前記上り信号に関連する閉ループ電力制御プロセスの数として確定し、
例えば、前記対応関係は、全てのＰＵＣＣＨ空間相関情報が同じ１つの閉ループ電力制御プロセスに対応することを示し、閉ループ電力制御プロセスの数は１であり、前記第２の対応関係が、部分的なＰＵＣＣＨ空間相関情報が閉ループ電力制御プロセス０に対応し、他のＰＵＣＣＨ空間相関情報が閉ループ電力制御プロセス１に対応することを示す場合、閉ループ電力制御プロセスの数は２である。
【００７６】
場合２：
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定し、
端末にＰＵＣＣＨ空間関連情報又はＰＵＣＣＨ空間関連情報と閉ループ電力制御プロセスとの第２の対応関係が構成されない場合、閉ループ電力制御プロセスの数が１である。
【００７７】
場合３：
前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定することのうちの少なくとも１つを含む。つまり、端末に複数のＢＷＰが構成された場合、各ＢＷＰに構成された第２の対応関係に基づいて数を確定することができる。
【００７８】
前記上り信号がＳＲＳである場合、上位レイヤシグナリングにより構成された第３の対応関係に基づいて、前記上り信号に関連する閉ループ電力制御プロセスの数を確定し、即ち、前記上り信号がＳＲＳである場合、上位レイヤシグナリングに構成されたＳＲＳ空間関連情報（ＳＲＳ−Ｓｐａｔｉａｌ  Ｒｅｌａｔｉｏｎ  Ｉｎｆｏ）と閉ループ電力制御プロセスとの対応関係に基づいて数を確定する。具体的に、以下の３つの場合のうちの少なくとも１つを含む。
【００７９】
場合一：
終端可以前記第３の対応関係に含まれる異なる閉ループ電力制御プロセスの数を、前記上り信号に関連する閉ループ電力制御プロセスの数として確定する。
例えば、前記第３の対応関係は、全てのＳＲＳ空間関連情報が同じ閉ループ電力制御プロセスに対応することを指示する場合、閉ループ電力制御プロセスの数が１であり、前記第３の対応関係は、一部のＳＲＳ空間関連情報が閉ループ電力制御プロセス０に対応し、他のＳＲＳ空間関連情報が閉ループ電力制御プロセス１に対応することを指示する場合、閉ループ電力制御プロセスの数が２である。
【００８０】
場合二：
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定し、
端末にＳＲＳ空間関連情報又はＳＲＳ空間関連情報と閉ループ電力制御プロセスとの第３の対応関係が構成されない場合、閉ループ電力制御プロセスの数が１である。
【００８１】
場合三：
前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定し、つまり、端末に複数のＢＷＰが構成された場合、各ＢＷＰに構成された対応関係に基づいて数を確定する。
【００８２】
前記上り信号を送信するＢＷＰの数は、前記上り信号を同時に送信するＢＷＰの数、又は現在アクティブされる上りＢＷＰの数、又はネットワーク側が端末に配置する上りＢＷＰの数であり、
後の二者の場合、これらのＢＷＰは、必ずしも同時に前記上り信号の送信に使用できるわけではなく、同一時刻に１つ又は一部のＢＷＰのみが前記上り信号の送信に使用できるようになっていてもよい。端末は、異なる時間に異なるＢＷＰを用いて前記上り信号を送信してもよい。
【００８３】
上り信号を送信するＢＷＰの数又は前記上り信号に関連する閉ループ電力制御プロセスの数を確定する前に、前記方法は、さらに、前記ＤＣＩにおけるＴＰＣコマンドフィールドのビット数を２として確定することを含む。具体的には、該ＤＣＩには、該端末の１つのＴＰＣコマンドフィールドが含まれる。例えば、端末がネットワーク側に配置されたＢＷＰの数、又は前記上り信号関連の閉ループ電力制御プロセスの数を受信する前に、端末は、前記ＤＣＩにおけるＴＰＣコマンドフィールドのビット数を２とする。
【００８４】
この方法は、前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定することを含む。
【００８５】
前記ＤＣＩは、ＰＵＳＣＨのＴＰＣコマンドが含まれるＤＣＩ、ＰＵＣＣＨのＴＰＣコマンドが含まれるＤＣＩ、ＳＲＳのＴＰＣコマンドが含まれるＤＣＩのうちの少なくとも１つである。
【００８６】
なお、前記ＤＣＩのフォーマットは、ＤＣＩ  ｆｏｒｍａｔ２-２又はＤＣＩ  ｆｏｒｍａｔ２-３であってもよく、また、前記ＤＣＩは、ＰＵＳＣＨ-ＴＰＣ-ＲＮＴＩ又はＰＵＣＣＨ-ＴＰＣ-ＲＮＴＩ又はＳＲＳ-ＴＰＣ-ＲＮＴＩでスクランブルされる。ＤＣＩは、１つのＢＷＰ上のＴＰＣコマンドを指示するために使用されてもよく、異なるＢＷＰ上のＴＰＣコマンドを指示するために使用されてもよい。
【００８７】
前記上り信号は、ＰＵＳＣＨ、ＰＵＣＣＨ、ＳＲＳのいずれかである。
【００８８】
具体的には、前記上り信号がＰＵＳＣＨ又はＰＵＣＣＨである場合、前記ＤＣＩフォーマットはＤＣＩ  ｆｏｒｍａｔ２-２であり、ＰＵＳＣＨ-ＴＰＣ-ＲＮＴＩ又はＰＵＣＣＨ-ＴＰＣ-ＲＮＴＩによってスクランブルされ、前記上り信号がＳＲＳである場合、前記ＤＣＩフォーマットはＤＣＩ  ｆｏｒｍａｔ２-３であり、ＳＲＳ-ＴＰＣ-ＲＮＴＩによってスクランブルされる。
【００８９】
以上のように、実施例は、ＴＰＣコマンドフィールドの確定の処理方法を提供し、例えば、端末デバイスにＴＰＣコマンド位置インデックスを指示することにより、端末デバイスがＴＰＣコマンド位置インデックス及び前記ＴＰＣコマンドフィールドのビット数に基づいて、前記ＤＣＩからＴＰＣコマンドフィールドを確定することを含む。
【００９０】
どのようにＴＰＣコマンド位置インデックスを取得することは、ネットワーク側がＲＲＣシグナリングを介して指示する前記ＴＰＣコマンド位置インデックスを受信することを含み、ここで、前記ＴＰＣコマンド位置インデックスは、前記端末デバイスのＴＰＣコマンドフィールドの前記ＤＣＩ内の開始ビットを示す。
具体的には、位置インデックスは、１ビット単位であり得、すなわち、ＴＰＣコマンドフィールドの開始ビットは、ＤＣＩ中の任意の位置にあり、あるいは、位置インデックスは２ビット単位であってもよく、すなわち、ＴＰＣコマンドフィールドの開始ビットはＤＣＩビットのうちの任意の偶数ビットであってもよい(例えば、ビットインデックスは０、２、４、…)。
【００９１】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する。ＴＰＣコマンドフィールドが、１つのＢＷＰ又は１つのＢＷＰにおける１つの閉ループ電力制御プロセスに対応する複数のＴＰＣコマンドの位置インデックスを含む場合、ネットワーク側は、複数のＴＰＣコマンドに対して独立した位置インデックスを設定することができる。すなわち、ネットワーク側は、ＢＷＰ毎又は閉ループ電力制御プロセス毎に独立してＴＰＣコマンド位置インデックスを設定することができる。例えば、ｋ番目の位置インデックスは、ｋ番目のＢＷＰ又はｋ番目の閉ループ電力制御プロセスのＴＰＣコマンドに対応する。
【００９２】
典型的には、ＴＰＣコマンドフィールドは、ＤＣＩ中の連続ビットを占有する。例えば、前記ＴＰＣコマンドフィールドが２つのＴＰＣコマンドを含む場合、これら２つのＴＰＣコマンドは、前記ＤＣＩにおいて２つの連続したＴＰＣコマンドである。
【００９３】
前記ＴＰＣコマンド位置インデックスがｋ番目のビットを示し、前記ＴＰＣコマンドフィールドのビット数がＭであるならば、前記端末のＴＰＣコマンドフィールドが占有するビットは、ＤＣＩにおける{  ｋ、ｋ＋1、…、ｋ＋Ｍ−1  }番目のビットである。
【００９４】
この実施例は、以下のステップを含み、
現在に端末デバイスが前記上り信号を送信するＢＷＰの閉ループ電力調整係数、又は、端末デバイスが前記上り信号を送信する時に現在使用する閉ループ電力制御プロセスの閉ループ電力調整係数に基づいて、端末デバイス上り信号の送信電力を確定し、確定された前記送信電力に基づいて前記端末デバイスからの前記上り信号を受信することを含む。上り信号の送信電力をどのように決定するかについては、いずれの閉ループ電力調整係数に基づいて算出されてもよく、算出の仕方についてはここでは詳述しない。
【００９５】
このように、上記の方式を採用することにより、上り信号ＢＷＰの数又は閉ループ電力制御プロセスの数に応じて、対応するＴＰＣコマンドを決定し、ＴＰＣコマンドに応じて上り信号対応の電力調整係数を決定することができ、これにより、１つの端末に対するＴＰＣコマンドのＤＣＩオーバーヘッドをできるだけ低くし、不要なＤＣＩオーバーヘッドを節約し、１つのＤＣＩでより多くの端末及びより多くのＢＷＰの閉ループ電力制御を行うことができる。
【００９６】
実施例三、
本発明の実施例は、端末デバイスを提供し、図３に示すように、第１の処理ユニット３１を含む。
【００９７】
第１の処理ユニット３１は、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定し、前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定する。
【００９８】
この実施例における端末デバイスとは、例えば携帯電話機等の通信システムにおける通信機能を備えた端末デバイスであっても良い。
【００９９】
上記の第１の処理ユニット３１は、
前記上り信号の現在の伝送タイプに基づいて前記上り信号に関連する閉ループ電力制御プロセスの数を確定すること、つまり、現在上り信号の伝送タイプに基づいて確定する。
【０１００】
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを実行する。
【０１０１】
さらに、前記第１の処理ユニット３１、前記上り信号が許可フリータイプであること又はスケジューリングタイプに基づいて、前記上り信号に関連する閉ループ電力制御プロセスの数を確定し、例えば、ｇｒａｎｔ−ｆｒｅｅ（端末が自主に送信する）による上り信号であるか、スケジューリングによる上り信号であるかによって、対応する数が決定される。例えば、ｇｒａｎｔ−ｆｒｅｅに基づく上り信号関連する閉ループ電力制御プロセスの数は１であり、スケジューリングに基づく関連する閉ループ電力制御プロセスの数は、２またはネットワーク側で構成された値であり、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定し、ここで、少なくとも１つのは、１つ上である。
上記は、上位レイヤシグナリング構成により前記上り信号に関連する閉ループ電力制御プロセスの数を特定し、ＰＵＳＣＨとＰＵＣＣＨが独立に配置される数であってもよい。端末が複数のＢＷＰを備える場合、ネットワーク側は、各ＢＷＰに対してそれぞれ閉ループ電力制御プロセスの数を構成することができる。
【０１０２】
前記第１の処理ユニット３１は、前記上り信号を送信する全てのＢＷＰに含まれる閉ループ電力制御プロセスの総量を、前記上り信号に関連する閉ループ電力制御プロセスの数とする。
【０１０３】
即ち、前記上り信号を送信するＢＷＰの数及び各ＢＷＰ上の閉ループ電力制御プロセスの数に基づいて確定する。
【０１０４】
具体的には、前記上り信号を送信するＢＷＰの数は、前記上り信号を同時に送信するＢＷＰの数、現在アクティブである上りＢＷＰの数、ネットワーク側が端末のために構成した上りＢＷＰの数のいずれかであってもよい。
なお、後の二者の場合、これらのＢＷＰは、必ずしも同時に前記上り信号の送信に使用できるわけではなく、同一時刻におけるＢＷＰの１つ又は一部のみが前記上り信号の送信に使用できるようにしてもよい。端末は、異なる時間に異なるＢＷＰを用いて前記上り信号を送信してもよい。
【０１０５】
前記第１の処理ユニット３１は、場合１〜場合３の少なくとも１つを実行する。
【０１０６】
場合１：
前記第１の対応関係に含まれる異なる閉ループ電力制御プロセスの数を、前記上り信号に関連する閉ループ電力制御プロセスの数として確定し、
例えば、第１の対応関係は、全てのＳＲＩ状態が同じ１つの閉ループ電力制御プロセスに対応することを示し、閉ループ電力制御プロセスの数は１であり、この対応関係が、一部のＳＲＩ状態が閉ループ電力制御プロセス０に対応し、他のＳＲＩ状態が閉ループ電力制御プロセス１に対応することを示す場合、閉ループ電力制御プロセスの数は２である。
【０１０７】
場合２：
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、即ち、端末にＳＲＩ又は前記ＳＲＩ状態と閉ループ電力制御プロセスとの対応関係が構成されない場合、閉ループ電力制御プロセスの数が１である。
【０１０８】
場合３：
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定する。
【０１０９】
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定し、即ち、端末に複数のＢＷＰが構成された場合、各ＢＷＰに構成された対応関係に基づいて数を確定する。
【０１１０】
なお、第１の対応関係については、ＳＲＩ状態と閉ループ電力制御プロセスとの対応関係と理解することができ、ここで、ＳＲＩはＳＲＳリソース指示情報(  ＳＲＳ  Ｒｅｓｏｕｒｃｅ  Ｉｎｄｉｃａｔｏｒ  )であり、その取得方式はＰＵＳＣＨのＤＣＩをスケジューリングすることによりＳＲＩを搬送することができる。
【０１１１】
前記上り信号がＰＵＣＣＨである場合、上位レイヤシグナリングに構成された第２対応関係によって、前記上り信号が関連する閉ループ電力制御プロセスの数を決定し、すなわち、前記上り信号がＰＵＣＣＨである場合、上位レイヤシグナリングに構成されたＰＵＣＣＨ空間相関情報(  ＰＵＣＣＨ−Ｓｐａｔｉａｌ  Ｒｅｌａｔｉｏｎ  Ｉｎｆｏ  )と閉ループ電力制御プロセスとの対応関係によって決定されてもよい。この対応関係は、閉ループ電力制御プロセスの数を含み、具体的には、
第１の処理ユニット３１は、場合１〜場合３の少なくとも１つを実行する。
【０１１２】
場合１：
端末は、前記第２の対応関係に含まれる異なる閉ループ電力制御プロセスの数を、前記上り信号に関連する閉ループ電力制御プロセスの数として確定し、
例えば、前記対応関係は、全てのＰＵＣＣＨ空間相関情報が同じ１つの閉ループ電力制御プロセスに対応することを示し、閉ループ電力制御プロセスの数は１であり、前記第２の対応関係が、部分的なＰＵＣＣＨ空間相関情報が閉ループ電力制御プロセス０に対応し、他のＰＵＣＣＨ空間相関情報が閉ループ電力制御プロセス１に対応することを示す場合、閉ループ電力制御プロセスの数は２である。
【０１１３】
場合２：
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定し、
端末にＰＵＣＣＨ空間関連情報又はＰＵＣＣＨ空間関連情報と閉ループ電力制御プロセスとの第２の対応関係が構成されない場合、閉ループ電力制御プロセスの数が１である。
【０１１４】
場合３：
第１の処理ユニット３１は、前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定する。つまり、端末に複数のＢＷＰが構成された場合、各ＢＷＰに構成された第２の対応関係に基づいて数を確定することができる。
【０１１５】
前記上り信号がＳＲＳである場合、上位レイヤシグナリングにより構成された第３の対応関係に基づいて、前記上り信号に関連する閉ループ電力制御プロセスの数を確定し、即ち、前記上り信号がＳＲＳである場合、上位レイヤシグナリングに構成されたＳＲＳ空間関連情報（ＳＲＳ−Ｓｐａｔｉａｌ  Ｒｅｌａｔｉｏｎ  Ｉｎｆｏ）と閉ループ電力制御プロセスとの対応関係に基づいて数を確定し、この対応関係は、閉ループ電力制御プロセスの数を含み、具体的に。第１の処理ユニット３１は、場合１〜場合３の少なくとも１つを実行する。
【０１１６】
場合一：
端末が前記第３の対応関係に含まれる異なる閉ループ電力制御プロセスの数を、前記上り信号に関連する閉ループ電力制御プロセスの数として確定する。
例えば、前記第３の対応関係は、全てのＳＲＳ空間関連情報が同じ閉ループ電力制御プロセスに対応することを指示する場合、閉ループ電力制御プロセスの数が１であり、前記第３の対応関係は、一部のＳＲＳ空間関連情報が閉ループ電力制御プロセス０に対応し、他のＳＲＳ空間関連情報が閉ループ電力制御プロセス１に対応することを指示する場合、閉ループ電力制御プロセスの数が２である。
【０１１７】
場合二：
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定し、
端末にＳＲＳ空間関連情報又はＳＲＳ空間関連情報と閉ループ電力制御プロセスとの第３の対応関係が構成されない場合、閉ループ電力制御プロセスの数が１である。
【０１１８】
場合三：
第１の処理ユニット３１は、前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定し、つまり、端末に複数のＢＷＰが構成された場合、各ＢＷＰに構成された対応関係に基づいて数を確定する。
【０１１９】
前記上り信号を送信するＢＷＰの数は、前記上り信号を同時に送信するＢＷＰの数、又は現在アクティブされる上りＢＷＰの数、又はネットワーク側が端末に配置する上りＢＷＰの数であり、後の二者の場合、これらのＢＷＰは、必ずしも同時に前記上り信号の送信に使用できるわけではなく、同一時刻に１つ又は一部のＢＷＰのみが前記上り信号の送信に使用できるようになっていてもよい。端末は、異なる時間に異なるＢＷＰを用いて前記上り信号を送信してもよい。
【０１２０】
上り信号を送信するＢＷＰの数又は前記上り信号に関連する閉ループ電力制御プロセスの数を確定する前に、前記方法は、さらに、前記ＤＣＩにおけるＴＰＣコマンドフィールドのビット数を２として確定することを含む。具体的には、該ＤＣＩには、該端末の１つのＴＰＣコマンドフィールドが含まれる。例えば、端末がネットワーク側に配置されたＢＷＰの数、又は前記上り信号関連の閉ループ電力制御プロセスの数を受信する前に、端末は、前記ＤＣＩにおけるＴＰＣコマンドフィールドのビット数を２とする。
【０１２１】
前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定する。
【０１２２】
前記ＤＣＩは、ＰＵＳＣＨのＴＰＣコマンドが含まれるＤＣＩ、ＰＵＣＣＨのＴＰＣコマンドが含まれるＤＣＩ、ＳＲＳのＴＰＣコマンドが含まれるＤＣＩのうちの少なくとも１つである。
【０１２３】
なお、前記ＤＣＩのフォーマットは、ＤＣＩ  ｆｏｒｍａｔ２-２又はＤＣＩ  ｆｏｒｍａｔ２-３であってもよく、また、前記ＤＣＩは、ＰＵＳＣＨ-ＴＰＣ-ＲＮＴＩ又はＰＵＣＣＨ-ＴＰＣ-ＲＮＴＩ又はＳＲＳ-ＴＰＣ-ＲＮＴＩでスクランブルされる。ＤＣＩは、１つのＢＷＰ上のＴＰＣコマンドを指示するために使用されてもよく、異なるＢＷＰ上のＴＰＣコマンドを指示するために使用されてもよい。
【０１２４】
前記上り信号は、ＰＵＳＣＨ、ＰＵＣＣＨ、ＳＲＳのいずれかである。
【０１２５】
具体的には、前記上り信号がＰＵＳＣＨ又はＰＵＣＣＨである場合、前記ＤＣＩフォーマットはＤＣＩ  ｆｏｒｍａｔ２-２であり、ＰＵＳＣＨ-ＴＰＣ-ＲＮＴＩ又はＰＵＣＣＨ-ＴＰＣ-ＲＮＴＩによってスクランブルされ、前記上り信号がＳＲＳである場合、前記ＤＣＩフォーマットはＤＣＩ  ｆｏｒｍａｔ２-３であり、ＳＲＳ-ＴＰＣ-ＲＮＴＩによってスクランブルされる。
【０１２６】
以上のように、実施例は、ＴＰＣコマンドフィールドの確定の処理方法を提供し、例えば、ネットワーク側が指示するＴＰＣコマンド位置インデックス、及び前記ＴＰＣコマンドフィールドのビット数に基づいて、前記ＤＣＩから前記端末デバイスのＴＰＣコマンドフィールドを確定することを含む。
【０１２７】
どのようにＴＰＣコマンド位置インデックスを取得することは、前記端末デバイスは、第１の通信ユニット３２をさらに含み、
第１の通信ユニット３２、ネットワーク側がＲＲＣシグナリングを介して指示する前記ＴＰＣコマンド位置インデックスを受信し、
ネットワーク側がＲＲＣシグナリングを介して指示する前記ＴＰＣコマンド位置インデックスを受信し、ここで、前記ＴＰＣコマンド位置インデックスは、前記端末デバイスのＴＰＣコマンドフィールドの前記ＤＣＩ内の開始ビットを示す。
【０１２８】
具体的には、位置インデックスは、１ビット単位であり得、すなわち、ＴＰＣコマンドフィールドの開始ビットは、ＤＣＩ中の任意の位置にあり、あるいは、位置インデックスは２ビット単位であってもよく、すなわち、ＴＰＣコマンドフィールドの開始ビットはＤＣＩビットのうちの任意の偶数ビットであってもよい(例えば、ビットインデックスは０、２、４、…)。
【０１２９】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する。ＴＰＣコマンドフィールドが、１つのＢＷＰ又は１つのＢＷＰにおける１つの閉ループ電力制御プロセスに対応する複数のＴＰＣコマンドの位置インデックスを含む場合、ネットワーク側は、複数のＴＰＣコマンドに対して独立した位置インデックスを設定することができる。すなわち、ネットワーク側は、ＢＷＰ毎又は閉ループ電力制御プロセス毎に独立してＴＰＣコマンド位置インデックスを設定することができる。例えば、ｋ番目の位置インデックスは、ｋ番目のＢＷＰ又はｋ番目の閉ループ電力制御プロセスのＴＰＣコマンドに対応する。
【０１３０】
典型的には、ＴＰＣコマンドフィールドは、ＤＣＩ中の連続ビットを占有する。例えば、前記ＴＰＣコマンドフィールドが２つのＴＰＣコマンドを含む場合、これら２つのＴＰＣコマンドは、前記ＤＣＩにおいて２つの連続したＴＰＣコマンドである。
【０１３１】
前記ＴＰＣコマンド位置インデックスがｋ番目のビットを示し、前記ＴＰＣコマンドフィールドのビット数がＭであるならば、前記端末のＴＰＣコマンドフィールドが占有するビットは、ＤＣＩにおける{  ｋ、ｋ＋1、…、ｋ＋Ｍ−1  }番目のビットである。
【０１３２】
前記ＴＰＣコマンドフィールドが２  *  ｎビットであれば、そのうちｎ個の２ビットのＴＰＣコマンドが含まれ、ｎ番目のＴＰＣコマンドはｎ番目のＢＷＰ又はｎ番目の閉ループ電力制御プロセスに使用され、前記ＴＰＣコマンドフィールドが２＋log２  (  Ｎ  )ビットである場合、最初の２ビットはＴＰＣコマンドであり、後のlog２  (  Ｎ  )ビットは前記ＴＰＣコマンドに対応するＢＷＰ又は閉ループ電力制御プロセスを示し、又は後の２ビットはＴＰＣコマンドであり、最初のlog２  (  Ｎ  )ビットは前記ＴＰＣコマンドに対応するＢＷＰ又は閉ループ電力制御プロセスを示す。
【０１３３】
この実施例は、さらに、以下のステップを含む。
【０１３４】
確定された前記送信電力に基づいて前記上り信号を送信する第１の通信ユニットを含み、
前記第１の処理ユニットは、前記上り信号を現在送信するＢＷＰの閉ループ電力調整係数、又は、前記上り信号が現在使用する閉ループ電力制御プロセスの閉ループ電力調整係数に基づいて、前記上り信号の送信電力を確定する。
【０１３５】
このように、上記の方式を採用することにより、上り信号ＢＷＰの数又は閉ループ電力制御プロセスの数に応じて、対応するＴＰＣコマンドを決定し、ＴＰＣコマンドに応じて上り信号対応の電力調整係数を決定することができ、これにより、１つの端末に対するＴＰＣコマンドのＤＣＩオーバーヘッドをできるだけ低くし、不要なＤＣＩオーバーヘッドを節約し、１つのＤＣＩでより多くの端末及びより多くのＢＷＰの閉ループ電力制御を行うことができる。
【０１３６】
実施例四、
本発明の実施例は、ネットワークデバイスを提供し、図４に示すように、第２の処理ユニット４１及び第２の通信ユニット４２を含む
第２の処理ユニット４１は、上り信号を送信する帯域幅部分ＢＷＰの数、又は、上り信号に関連する閉ループ電力制御プロセスの数に基づいて、下り制御情報ＤＣＩ内の端末デバイスの送信電力制御ＴＰＣコマンドフィールドのビット数を確定し、
第２の通信ユニット４２は、前記ＤＣＩを介して前記端末デバイスに前記ＴＰＣコマンドフィールドを送信する。なお、この実施例における端末デバイスとは、例えば携帯電話機等の通信システムにおける通信機能を備えた端末デバイスであっても良い。
【０１３７】
上述第２の処理ユニット４１は、以下の少なくとも１つを実行する
前記上り信号の現在の伝送タイプに基づいて前記上り信号に関連する閉ループ電力制御プロセスの数を確定し、つまり、現在上り信号の伝送タイプに基づいて確定する。
【０１３８】
上位レイヤシグナリング構成に基づいて前記上り信号に関連する閉ループ電力制御プロセスの数を確定し、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定し、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であり、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であり、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係である。
【０１３９】
さらに、前記第２の処理ユニット４１は、前記上り信号が許可フリータイプであること又はスケジューリングタイプに基づいて、前記上り信号に関連する閉ループ電力制御プロセスの数を確定し、例えば、ｇｒａｎｔ−ｆｒｅｅ（端末が自主に送信する）による上り信号であるか、スケジューリングによる上り信号であるかによって、対応する数が決定される。例えば、ｇｒａｎｔ−ｆｒｅｅに基づく上り信号関連する閉ループ電力制御プロセスの数は１であり、スケジューリングに基づく関連する閉ループ電力制御プロセスの数は、２またはネットワーク側で構成された値であり、
及び／又は、
前記端末デバイスに少なくとも１つのＢＷＰが構成された場合、前記少なくとも１つのＢＷＰの各ＢＷＰ上の伝送タイプに基づいて、各ＢＷＰのために閉ループ電力制御プロセスの数を確定し、ここで、少なくとも１つのは、１つ上である。
上記は、上位レイヤシグナリング構成により前記上り信号に関連する閉ループ電力制御プロセスの数を特定し、ＰＵＳＣＨとＰＵＣＣＨが独立に配置される数であってもよい。端末が複数のＢＷＰを備える場合、ネットワーク側は、各ＢＷＰに対してそれぞれ閉ループ電力制御プロセスの数を構成することができる。
【０１４０】
前記第２の処理ユニット４１は、前記上り信号を送信する全てのＢＷＰに含まれる閉ループ電力制御プロセスの総量を、前記上り信号に関連する閉ループ電力制御プロセスの数とする。
【０１４１】
即ち、前記上り信号を送信するＢＷＰの数及び各ＢＷＰ上の閉ループ電力制御プロセスの数に基づいて確定する。
【０１４２】
具体的には、前記上り信号を送信するＢＷＰの数は、前記上り信号を同時に送信するＢＷＰの数、現在アクティブである上りＢＷＰの数、ネットワーク側が端末のために構成した上りＢＷＰの数のいずれかであってもよい。
【０１４３】
なお、後の二者の場合、これらのＢＷＰは、必ずしも同時に前記上り信号の送信に使用できるわけではなく、同一時刻におけるＢＷＰの１つ又は一部のみが前記上り信号の送信に使用できるようにしてもよい。端末は、異なる時間に異なるＢＷＰを用いて前記上り信号を送信してもよい。
【０１４４】
前記第２の処理ユニット４１は、以下の場合１〜３のうちの少なくとも１つを実行する。
【０１４５】
場合１：
前記第１の対応関係に含まれる異なる閉ループ電力制御プロセスの数を、前記上り信号に関連する閉ループ電力制御プロセスの数として確定すること、
例えば、第１の対応関係は、全てのＳＲＩ状態が同じ１つの閉ループ電力制御プロセスに対応することを示し、閉ループ電力制御プロセスの数は１であり、この対応関係が、一部のＳＲＩ状態が閉ループ電力制御プロセス０に対応し、他のＳＲＩ状態が閉ループ電力制御プロセス１に対応することを示す場合、閉ループ電力制御プロセスの数は２である。
【０１４６】
場合２：
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定し、
前記上り信号がＰＵＳＣＨであり、かつ前記端末デバイスに前記ＳＲＩが構成されなく又は前記第１の対応関係が構成されない場合、前記上り信号に関連する閉ループ電力制御プロセスの数を１として確定すること、即ち、端末にＳＲＩ又は前記ＳＲＩ状態と閉ループ電力制御プロセスとの対応関係が構成されない場合、閉ループ電力制御プロセスの数が１である。
【０１４７】
場合３：
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定する。
【０１４８】
前記上り信号がＰＵＳＣＨであり、且つ前記端末デバイスに少なくとも１つのＢＷＰが構成された場合、前記少なくとも１つのＢＷＰの各ＢＷＰに構成された第１の対応関係に基づいて、前記上り信号に関連する閉ループ電力制御プロセスの数を確定することのうちの少なくとも１つを含み、即ち、端末に複数のＢＷＰが構成された場合、各ＢＷＰに構成された対応関係に基づいて数を確定する。
【０１４９】
なお、第１の対応関係については、ＳＲＩ状態と閉ループ電力制御プロセスとの対応関係と理解することができ、ここで、ＳＲＩはＳＲＳリソース指示情報(  ＳＲＳ  Ｒｅｓｏｕｒｃｅ  Ｉｎｄｉｃａｔｏｒ  )であり、その取得方式はＰＵＳＣＨのＤＣＩをスケジューリングすることによりＳＲＩを搬送することができる。
【０１５０】
前記上り信号がＰＵＣＣＨである場合、上位レイヤシグナリングに構成された第２対応関係によって、前記上り信号が関連する閉ループ電力制御プロセスの数を決定し、すなわち、前記上り信号がＰＵＣＣＨである場合、上位レイヤシグナリングに構成されたＰＵＣＣＨ空間相関情報(  ＰＵＣＣＨ−Ｓｐａｔｉａｌ  Ｒｅｌａｔｉｏｎ  Ｉｎｆｏ  )と閉ループ電力制御プロセスとの対応関係によって決定されてもよく、この対応関係は異なる閉ループ電力制御プロセスの数を含み、具体的には、
第２の処理ユニット４１は、以下の場合１〜３のうちの少なくとも１つを実行する。
【０１５１】
場合１：
端末は、前記第２の対応関係に含まれる異なる閉ループ電力制御プロセスの数を、前記上り信号に関連する閉ループ電力制御プロセスの数として確定し、
例えば、前記対応関係は、全てのＰＵＣＣＨ空間相関情報が同じ１つの閉ループ電力制御プロセスに対応することを示し、閉ループ電力制御プロセスの数は１であり、前記第２の対応関係が、部分的なＰＵＣＣＨ空間相関情報が閉ループ電力制御プロセス０に対応し、他のＰＵＣＣＨ空間相関情報が閉ループ電力制御プロセス１に対応することを示す場合、閉ループ電力制御プロセスの数は２である。
【０１５２】
場合２：
前記上り信号がＰＵＣＣＨであり、前記端末デバイスに前記ＰＵＣＣＨ空間関連情報が構成されなく、又は、前記第２の対応関係が構成されない場合、前記上り信号に関連する閉ループ電力制御プロセスの数を１として確定し、
端末にＰＵＣＣＨ空間関連情報又はＰＵＣＣＨ空間関連情報と閉ループ電力制御プロセスとの第２の対応関係が構成されない場合、閉ループ電力制御プロセスの数が１である。
【０１５３】
場合３：
第２の処理ユニット４１は、前記上り信号がＰＵＣＣＨであり、前記端末デバイスに少なくとも１つのＢＷＰが構成された場合、前記少なくとも１つのＢＷＰの各ＢＷＰに構成された第２の対応関係に基づいて、前記上り信号に関連する閉ループ電力制御プロセスの数を確定する。つまり、端末に複数のＢＷＰが構成された場合、各ＢＷＰに構成された第２の対応関係に基づいて数を確定することができる。
【０１５４】
前記上り信号がＳＲＳである場合、上位レイヤシグナリングにより構成された第３の対応関係に基づいて、前記上り信号に関連する閉ループ電力制御プロセスの数を確定し、即ち、前記上り信号がＳＲＳである場合、上位レイヤシグナリングに構成されたＳＲＳ空間関連情報（ＳＲＳ−Ｓｐａｔｉａｌ  Ｒｅｌａｔｉｏｎ  Ｉｎｆｏ）と閉ループ電力制御プロセスとの対応関係に基づいて数を確定し、この対応関係は異なる閉ループ電力制御プロセスの数を含み、具体的に、第２の処理ユニット４１は、以下の３つの場合のうちの少なくとも１つを実行する
【０１５５】
場合一：
端末が前記第３の対応関係に含まれる異なる閉ループ電力制御プロセスの数を、前記上り信号に関連する閉ループ電力制御プロセスの数として確定する。
例えば、前記第３の対応関係は、全てのＳＲＳ空間関連情報が同じ閉ループ電力制御プロセスに対応することを指示する場合、閉ループ電力制御プロセスの数が１であり、前記第３の対応関係は、一部のＳＲＳ空間関連情報が閉ループ電力制御プロセス０に対応し、他のＳＲＳ空間関連情報が閉ループ電力制御プロセス１に対応することを指示する場合、閉ループ電力制御プロセスの数が２である。
【０１５６】
場合二：
前記上り信号がＳＲＳであり、前記端末デバイスに前記ＳＲＳ空間関連情報が構成されなく、又は前記第３の対応関係が構成されない場合、前記上り信号に関連する閉ループ電力制御プロセスの数を１として確定し、
端末にＳＲＳ空間関連情報又はＳＲＳ空間関連情報と閉ループ電力制御プロセスとの第３の対応関係が構成されない場合、閉ループ電力制御プロセスの数が１である。
【０１５７】
場合三：
第２の処理ユニット４１は、前記上り信号がＳＲＳであり、前記端末デバイスに少なくとも１つのＢＷＰが構成された場合、前記少なくとも１つのＢＷＰの各ＢＷＰに構成された第３の対応関係に基づいて、前記上り信号に関連する閉ループ電力制御プロセスの数を確定し、つまり、端末に複数のＢＷＰが構成された場合、各ＢＷＰに構成された対応関係に基づいて数を確定する。
【０１５８】
前記上り信号を送信するＢＷＰの数は、前記上り信号を同時に送信するＢＷＰの数、又は現在アクティブされる上りＢＷＰの数、又はネットワーク側が端末に配置する上りＢＷＰの数であり、後両者の場合、これらのＢＷＰは、必ずしも同時に前記上り信号の送信に使用できるわけではなく、同一時刻に１つ又は一部のＢＷＰのみが前記上り信号の送信に使用できるようになっていてもよい。端末は、異なる時間に異なるＢＷＰを用いて前記上り信号を送信してもよい。
【０１５９】
上り信号を送信するＢＷＰの数又は前記上り信号に関連する閉ループ電力制御プロセスの数を確定する前に、前記方法は、さらに、前記ＤＣＩにおけるＴＰＣコマンドフィールドのビット数を２として確定することを含む。具体的には、該ＤＣＩには、該端末の１つのＴＰＣコマンドフィールドが含まれる。例えば、端末がネットワーク側に配置されたＢＷＰの数、又は前記上り信号関連の閉ループ電力制御プロセスの数を受信する前に、端末は、前記ＤＣＩにおけるＴＰＣコマンドフィールドのビット数を２とする。
【０１６０】
前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定する。
【０１６１】
前記ＤＣＩは、ＰＵＳＣＨのＴＰＣコマンドが含まれるＤＣＩ、ＰＵＣＣＨのＴＰＣコマンドが含まれるＤＣＩ、ＳＲＳのＴＰＣコマンドが含まれるＤＣＩのうちの少なくとも１つである。
【０１６２】
なお、前記ＤＣＩのフォーマットは、ＤＣＩ  ｆｏｒｍａｔ２-２又はＤＣＩ  ｆｏｒｍａｔ２-３であってもよく、また、前記ＤＣＩは、ＰＵＳＣＨ-ＴＰＣ-ＲＮＴＩ又はＰＵＣＣＨ-ＴＰＣ-ＲＮＴＩ又はＳＲＳ-ＴＰＣ-ＲＮＴＩでスクランブルされる。ＤＣＩは、１つのＢＷＰ上のＴＰＣコマンドを指示するために使用されてもよく、異なるＢＷＰ上のＴＰＣコマンドを指示するために使用されてもよい。
【０１６３】
前記上り信号は、ＰＵＳＣＨ、ＰＵＣＣＨ、ＳＲＳのいずれかである。
【０１６４】
具体的には、前記上り信号がＰＵＳＣＨ又はＰＵＣＣＨである場合、前記ＤＣＩフォーマットはＤＣＩ  ｆｏｒｍａｔ２-２であり、ＰＵＳＣＨ-ＴＰＣ-ＲＮＴＩ又はＰＵＣＣＨ-ＴＰＣ-ＲＮＴＩによってスクランブルされ、前記上り信号がＳＲＳである場合、前記ＤＣＩフォーマットはＤＣＩ  ｆｏｒｍａｔ２-３であり、ＳＲＳ-ＴＰＣ-ＲＮＴＩによってスクランブルされる。
【０１６５】
以上のように、実施例は、ＴＰＣコマンドフィールドの確定の処理方法を提供し、例えば、端末デバイスにＴＰＣコマンド位置インデックスを指示することにより、端末デバイスが前記ＴＰＣＴＰＣコマンド位置インデックス及び前記ＴＰＣコマンドフィールドのビット数に基づいて、前記ＤＣＩからＴＰＣコマンドフィールドを確定することを含む。
【０１６６】
どのようにＴＰＣコマンド位置インデックスを取得することは、ネットワーク側がＲＲＣシグナリングを介して指示する前記ＴＰＣコマンド位置インデックスを受信することを含み、ここで、前記ＴＰＣコマンド位置インデックスは、前記端末デバイスのＴＰＣコマンドフィールドの前記ＤＣＩ内の開始ビットを示す。
【０１６７】
体的には、位置インデックスは、１ビット単位であり得、すなわち、ＴＰＣコマンドフィールドの開始ビットは、ＤＣＩ中の任意の位置にあり、あるいは、位置インデックスは２ビット単位であってもよく、すなわち、ＴＰＣコマンドフィールドの開始ビットはＤＣＩビットのうちの任意の偶数ビットであってもよい(例えば、ビットインデックスは０、２、４、…)。
【０１６８】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する。ＴＰＣコマンドフィールドが、１つのＢＷＰ又は１つのＢＷＰにおける１つの閉ループ電力制御プロセスに対応する複数のＴＰＣコマンドの位置インデックスを含む場合、ネットワーク側は、複数のＴＰＣコマンドに対して独立した位置インデックスを設定することができる。すなわち、ネットワーク側は、ＢＷＰ毎又は閉ループ電力制御プロセス毎に独立してＴＰＣコマンド位置インデックスを設定することができる。例えば、ｋ番目の位置インデックスは、ｋ番目のＢＷＰ又はｋ番目の閉ループ電力制御プロセスのＴＰＣコマンドに対応する。
【０１６９】
典型的には、ＴＰＣコマンドフィールドは、ＤＣＩ中の連続ビットを占有する。例えば、前記ＴＰＣコマンドフィールドが２つのＴＰＣコマンドを含む場合、これら２つのＴＰＣコマンドは、前記ＤＣＩにおいて２つの連続したＴＰＣコマンドである。
【０１７０】
前記ＴＰＣコマンド位置インデックスがｋ番目のビットを示し、前記ＴＰＣコマンドフィールドのビット数がＭであるならば、前記端末のＴＰＣコマンドフィールドが占有するビットは、ＤＣＩにおける{  ｋ、ｋ＋1、…、ｋ＋Ｍ−1  }番目のビットである。
【０１７１】
この実施例は、さらに、前記第２の処理ユニット４１を含み、
前記第２の処理ユニット４１は、現在に端末デバイスが送信した前記上り信号のＢＷＰの閉ループ電力調整係数、又は端末デバイスが前記上り信号を送信する時に現在使用する閉ループ電力制御プロセスの閉ループ電力調整係数に基づいて、端末デバイス上り信号の送信電力を確定し、
前記第２の通信ユニット４１は、確定された前記送信電力に基づいて前記端末デバイスからの前記上り信号を受信する。
【０１７２】
このように、上記の方式を採用することにより、上り信号ＢＷＰの数又は閉ループ電力制御プロセスの数に応じて、対応するＴＰＣコマンドを決定し、ＴＰＣコマンドに応じて上り信号対応の電力調整係数を決定することができ、これにより、１つの端末に対するＴＰＣコマンドのＤＣＩオーバーヘッドをできるだけ低くし、不要なＤＣＩオーバーヘッドを節約し、１つのＤＣＩでより多くの端末及びより多くのＢＷＰの閉ループ電力制御を行うことができる。
【０１７３】
本発明の実施例は、図５に示すように、少なくとも１つのプロセッサ５１と、メモリ５２と、少なくとも１つのネットワークインタフェース５３とを備える端末デバイス、又はネットワークデバイスのハードウェア構成アーキテクチャをさらに提供する。各構成要素は、バスシステム５４によって互いに結合される。バスシステム５４は、これらの構成要素間の接続通信を可能にするために使用される。バスシステム５４は、データバスの他に、電源バス、制御バスおよびステータス信号バスを含んでいる。ただし、説明を分かりやすくするために、図５では、各種のバスをバスシステム５４と表記している。
【０１７４】
なお、本発明の実施の形態におけるメモリ５２は、揮発性メモリであっても不揮発性メモリであってもよく、揮発性メモリと不揮発性メモリの両方を含んでもよい。
【０１７５】
いくつかの実施例において、メモリ５２は、オペレーティングシステム５２１およびアプリケーションプログラム５２２を記憶し、実行可能モジュール若しくはデータ構造、又はそれらのサブセット、又はそれらの拡張セットの要素を記憶する。
【０１７６】
そのうち、前記プロセッサ５１は、前記実施例１又は２の方法ステップを処理することができるように構成され、ここでその説明が省略される。
【０１７７】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ(  ＲＯＭ，Ｒｅａｄ  Ｏｎｌｙ  Ｍｅｍｏｒｙ  )、磁気ディスク、光ディスク等のプログラムコードを記憶できる種々の媒体を用いることができる。このように、本発明の実施例は、ハードウェアとソフトウェアのいかなる組み合わせにも限定されない。
【０１７８】
本発明の実施例は、実行されると、前述の実施例１又は２の方法ステップを実施するコンピュータ実行可能命令を記憶したコンピュータ記憶媒体を提供する。
【０１７９】
以上、本発明の好ましい実施例について説明したが、本発明はこれらの実施例に限定されず、その要旨の範囲内で種々の変形及び変更が可能である。
【図１】
2021523582.tif 000008
【図２】
2021523582.tif 000009
【図３】
2021523582.tif 000010
【図４】
2021523582.tif 000011
【図５】
2021523582.tif 000012
【手続補正書】
【提出日】令和3年3月17日(2021.3.17)
【手続補正１】
【補正対象書類名】明細書
【補正対象項目名】０１３３
【補正方法】変更
【補正の内容】
【０１３３】
この実施例は、さらに、以下の処理を含む。
【手続補正２】
【補正対象書類名】明細書
【補正対象項目名】０１７１
【補正方法】変更
【補正の内容】
【０１７１】
この実施例は、さらに、前記第２の処理ユニット４１を含み、
前記第２の処理ユニット４１は、現在に端末デバイスが送信した前記上り信号のＢＷＰの閉ループ電力調整係数、又は端末デバイスが前記上り信号を送信する時に現在使用する閉ループ電力制御プロセスの閉ループ電力調整係数に基づいて、端末デバイス上り信号の送信電力を確定し、
前記第２の通信ユニット４２は、確定された前記送信電力に基づいて前記端末デバイスからの前記上り信号を受信する。
【手続補正３】
【補正対象書類名】特許請求の範囲
【補正対象項目名】全文
【補正方法】変更
【補正の内容】
【特許請求の範囲】
【請求項１】
端末デバイスに応用される上り電力の制御方法であって、
上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定することと、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定することとを含む
ことを特徴とする上り電力の制御方法。
【請求項２】
前記方法は、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを含む
ことを特徴とする請求項１に記載の上り電力の制御方法。
【請求項３】
上り信号を送信するＢＷＰの数又は前記上り信号に関連する閉ループ電力制御プロセスの数を確定する前に、前記方法は、さらに、
前記ＤＣＩにおけるＴＰＣコマンドフィールドのビット数を２として確定することを含む
ことを特徴とする請求項１に記載の上り電力の制御方法。
【請求項４】
前記方法は、さらに、
前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定することを含む
ことを特徴とする請求項１〜２のいずれか１項に記載の上り電力の制御方法。
【請求項５】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項１〜４のいずれか１項に記載の上り電力の制御方法。
【請求項６】
前記上り信号は、ＰＵＳＣＨ、ＰＵＣＣＨ、ＳＲＳのいずれかである
ことを特徴とする請求項１〜５のいずれか１項に記載の上り電力の制御方法。
【請求項７】
前記方法は、さらに、
ネットワーク側が指示するＴＰＣコマンド位置インデックス、及び前記ＴＰＣコマンドフィールドのビット数に基づいて、前記ＤＣＩから前記端末デバイスのＴＰＣコマンドフィールドを確定することを含む
ことを特徴とする請求項１〜６のいずれか１項に記載の上り電力の制御方法。
【請求項８】
前記ＴＰＣコマンド位置インデックスが少なくとも１つのＴＰＣコマンドの位置インデックスを含み、各ＴＰＣコマンドが１つのＢＷＰ又は１つのＢＷＰの１つの閉ループ電力制御プロセスに対応する
ことを特徴とする請求項７に記載の上り電力の制御方法。
【請求項９】
前記ＴＰＣコマンドフィールドは、前記ＤＣＩ内の連続するビットを占用する
ことを特徴とする請求項１〜８のいずれか１項に記載の上り電力の制御方法。
【請求項１０】
前記方法は、さらに、
現在に前記上り信号を送信するＢＷＰの閉ループ電力調整係数、又は前記上り信号が現在使用する閉ループ電力制御プロセスの閉ループ電力調整係数に基づいて、前記上り信号の送信電力を確定することと、
確定された前記送信電力に基づいて前記上り信号を送信することとを含む
ことを特徴とする請求項１に記載の上り電力の制御方法。
【請求項１１】
ネットワークデバイスに応用される上り電力の制御方法であって、
上り信号を送信する帯域幅部分ＢＷＰの数、又は、上り信号に関連する閉ループ電力制御プロセスの数に基づいて、下り制御情報ＤＣＩにおける端末デバイスの送信電力制御ＴＰＣコマンドフィールドのビット数を確定することと、
前記ＤＣＩを介して前記端末デバイスに前記ＴＰＣコマンドフィールドを送信することとを含む
ことを特徴とする上り電力の制御方法。
【請求項１２】
前記方法は、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、  前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを含む
ことを特徴とする請求項１１に記載の上り電力の制御方法。
【請求項１３】
第１の処理ユニットを含む端末デバイスであって、
前記第１の処理ユニットは、上り信号を送信する帯域幅部分ＢＷＰの数、又は、上り信号に関連する閉ループ電力制御プロセスの数に基づいて、下り制御情報ＤＣＩにおける前記端末デバイスの送信電力制御ＴＰＣコマンドフィールドのビット数を確定し、
前記ＴＰＣコマンドフィールド内のＴＰＣコマンドに基づいて、前記上り信号を送信する少なくとも１つのＢＷＰ又は前記上り信号に関連する少なくとも１つの閉ループ電力制御プロセスの閉ループ電力調整係数を確定する
ことを特徴とする端末デバイス。
【請求項１４】
前記第１の処理ユニットは、
前記上り信号の現在の伝送タイプに基づいて前記上り信号に関連する閉ループ電力制御プロセスの数を確定すること、
上位レイヤシグナリング構成に基づいて前記上り信号に関連する閉ループ電力制御プロセスの数を確定すること、
前記上り信号を送信するＢＷＰの数及び前記上り信号を送信する各ＢＷＰ上の閉ループ電力制御プロセスの数に基づいて、前記上り信号に関連する閉ループ電力制御プロセスの数を確定すること、
前記上り信号がＰＵＳＣＨである場合、上位レイヤシグナリングにより構成された第１の対応関係に基づいて前記上り信号に関連する閉ループ電力制御プロセスの数を確定し、前記第１の対応関係がＳＲＩ状態と閉ループ電力制御プロセス的との対応関係であること、
前記上り信号がＰＵＣＣＨである場合、上位レイヤシグナリングにより構成された第２の対応関係に基づいて前記上り信号に関連する閉ループ電力制御プロセスの数を確定し、前記第２の対応関係がＰＵＣＣＨ空間関連情報と閉ループ電力制御プロセスとの対応関係であること、
前記上り信号がＳＲＳである場合、上位レイヤシグナリングにより構成された第３の対応関係に基づいて前記上り信号に関連する閉ループ電力制御プロセスの数を確定し、前記第３の対応関係がＳＲＳ空間関連情報と閉ループ電力制御プロセスとの対応関係であることのうちの少なくとも１つを実行する
ことを特徴とする請求項１３に記載の端末デバイス。
【請求項１５】
前記第１の処理ユニットは、前記ＤＣＩにおけるＴＰＣコマンドフィールドのビット数を２として確定する
ことを特徴とする請求項１３に記載の端末デバイス。
【請求項１６】
前記第１の処理ユニットは、前記上り信号を送信するＢＷＰの数がＮであり、又は、前記上り信号に関連する閉ループ電力制御プロセスの数がＮである場合、前記ＴＰＣコマンドフィールドのビット数を２＊Ｎ又は２＋ｌｏｇ２（Ｎ）として確定する
ことを特徴とする請求項１３〜１５のいずれか１項に記載の端末デバイス。
【請求項１７】
前記ＤＣＩは、
ＰＵＳＣＨのＴＰＣコマンドが含まれるＤＣＩ、
ＰＵＣＣＨのＴＰＣコマンドが含まれるＤＣＩ、
ＳＲＳのＴＰＣコマンドが含まれるＤＣＩのうちの少なくとも１つである
ことを特徴とする請求項１３〜１６のいずれか１項に記載の端末デバイス。
【請求項１８】
前記上り信号は、ＰＵＳＣＨ、ＰＵＣＣＨ、ＳＲＳのいずれかである
ことを特徴とする請求項１３〜１７のいずれか１項に記載の端末デバイス。
【請求項１９】
前記第１の処理ユニットは、ネットワーク側により指示されるＴＰＣコマンド位置インデックス、及び前記ＴＰＣコマンドフィールドのビット数に基づいて、前記ＤＣＩから前記端末デバイスのＴＰＣコマンドフィールドを確定する
ことを特徴とする請求項１３〜１７のいずれか１項に記載の端末デバイス。
【請求項２０】
前記ＴＰＣコマンド位置インデックスが少なくとも１つのＴＰＣコマンドの位置インデックスを含み、ここで、各ＴＰＣコマンドが１つのＢＷＰ又は１つのＢＷＰの１つの閉ループ電力制御プロセスに対応する
ことを特徴とする請求項１９に記載の端末デバイス。
【請求項２１】
前記ＴＰＣコマンドフィールドは、前記ＤＣＩ内の連続するビットを占用する
ことを特徴とする請求項１３〜２０のいずれか１項に記載の端末デバイス。
【請求項２２】
前記端末デバイスは、さらに、
確定された前記送信電力に基づいて前記上り信号を送信する第１の通信ユニットを含み、
前記第１の処理ユニットは、前記上り信号を現在送信するＢＷＰの閉ループ電力調整係数、又は、前記上り信号が現在使用する閉ループ電力制御プロセスの閉ループ電力調整係数に基づいて、前記上り信号の送信電力を確定する
ことを特徴とする請求項１３に記載の端末デバイス。
【国際調査報告】
2021523582.tif 000013
2021523582.tif 000014
2021523582.tif 000015
2021523582.tif 000016